(57)【要約】【課題】天井スラブがない建造物に耐震性能が優れた組み天井として実現でき、設備される機器の取付け、変更、移設等がし易い天井構造を得ることにある。【解決手段】母屋桁及び鉄骨からなる天井下地材に、これと交差し互いに平行に設けられる複数の野縁受け４を吊持する。受け４の下側に配置される天井板支持縁付きの複数のメインバー（第１野縁材）６を、受け４に交差しかつ連結して支持する。受け４の下側に配置される天井板支持縁付きの複数のクロスバー（第２野縁材）８を、バー６に交差して支持する。受け４の下側に配置される天井板支持縁付きの複数のスモールバー（第３野縁材９）を、バー８に交差して支持する。グリッド状に組合わされた各バー６、８、９で区画された方形の開口２０に、方形状の天井板１０を落し込み、この天井板の四周を各天井支持縁に固定することなく載置させることを特徴としている。【選択図】    図２
2004332326.tif 000002
【特許請求の範囲】
【請求項１】
母屋桁及びこれに平行に配置された鉄骨を天井下地材として用いる天井構造であって、
前記天井下地材に吊持され、互いに間隔を置いて平行にかつ前記天井下地材と交差する方向に延びて配置された複数の野縁受けと、
天井板支持縁を有し、前記野縁受けに交差して支持され、互いに間隔を置いてかつ前記野縁受けの下側に配置された複数の第１野縁材と、
天井板支持縁を有し、前記第１野縁材に交差して支持され、互いに間隔を置いてかつ前記野縁受けの下側に配置された複数の第２野縁材と、
天井板支持縁を有し、前記第２野縁材に交差して支持され、互いに間隔を置いてかつ前記野縁受けの下側に配置された複数の第３野縁材と、
方形状に形成されその四周を前記各天井支持縁に載置して、グリッド状に組合わされた前記各野縁材で区画された方形の開口に設けられた複数の天井板と、を具備したことを特徴とする天井構造。
【請求項２】
前記野縁受けがその少なくとも一部を前記第２野縁材の上方への投影領域に配置して設けられ、これら野縁受けと第２野縁材との間に前記天井板が通過できる間隙が設けられていることを特徴とする請求項１に記載の天井構造。
【発明の詳細な説明】
【０００１】
【発明の属する技術分野】本発明は、天井スラブがない鉄骨構造の建造物に組み天井として設けられる天井構造に関する。
【０００２】
【従来の技術】従来、天井スラブを有するコンクリート造り又は鉄骨造りの建造物の組み天井として、以下の２通りの天井構造が知られている（例えば特許文献１参照。）。
【０００３】
一方の天井構造は、天井スラブに所定間隔で埋め込んだインサート部材の夫々に上端部が連結された吊りボルトの下端部に吊りハンガーを介してＣ型鋼からなる野縁受けを吊持し、これら野縁受けの下面に多数本の野縁を各野縁受けと直交させて固定し、互いに平行な複数本の野縁にわたる長さを有した板状の天井仕上げ材を、接着剤やビス又は釘などを用いて野縁に固定することによって構成されている。
【０００４】
他方の天井構造は、Ｔバー製のメインランナを、天井スラブに所定間隔で埋め込んだインサート部材の夫々に上端部が連結された吊りボルトの下端部に吊りハンガーを介して懸吊し、クロスランナの両端部を所定の継手構造を介して隣接するメインランナに連結して、これらメインランナとクロスランナとをグリッド状に組合わせ、これらにより区画された方形領域に、板状の天井仕上げ材を上方より落し込んで構成されている。
【０００５】
【特許文献１】
特開平１１−２２０９９号公報（段落０００２及び図７、段落００１８−００２１、及び図１、図２）
【０００６】
【発明が解決しようとする課題】特許文献１の図７に記載された前者の天井構造、および図１、図２に記載された後者の天井構造は、いずれも天井スラブがある建築物に適用されたものである。このため、天井スラブがない鉄骨構造の建築物の天井構造として適用するには、新たな工夫が必要である。
【０００７】
ところで、天井内に設備されるスプリンクラー、スピーカ、無線中継器、又は照明器具等の機器は、変更したり移設されたりする場合がある。
【０００８】
この場合、前者の天井構造では、野縁の下面に天井仕上げ材が固定されているので、天井の数個所に予め設けられている天井点検口から天井裏に作業者が入り込んで作業をしている。この天井裏での作業は、作業空間が制約されているので、作業性が極めて悪い。しかも、前記機器の変更や移設の仕様によっては、天井のかなりの部分を解体して改修することを余儀なくされる場合が多い。
【０００９】
又、後者の天井構造では、天井の下側から天井仕上げ材を押上げて横にずらすことが可能であるので、前記機器の変更や移設に対応し易い。しかし、この天井構造は、メインランナとクロスランナとの組み構造のみに天井の強度が依存しているので、天井の耐震性能が低い。
【００１０】
本発明が解決しようとする課題は、天井スラブがない建造物に耐震性能が優れた組み天井として実現できるとともに、天井内に設備される機器の取付け、変更、移設等がし易い天井構造を得ることにある。
【００１１】
【課題を解決するための手段】前記課題を解決するために、請求項１の発明は、母屋桁及びこれに平行に配置された鉄骨を天井下地材として用いる天井構造であって、前記天井下地材に吊持され、互いに定間隔を置いて平行にかつ前記天井下地材と交差する方向に延びて配置された複数の野縁受けと、天井板支持縁を有し、前記野縁受けに交差して支持され、互いに間隔を置いてかつ前記野縁受けの下側に配置された複数の第１野縁材と、天井板支持縁を有し、前記第１野縁材に交差して支持され、互いに間隔を置いてかつ前記野縁受けの下側に配置された複数の第２野縁材と、天井板支持縁を有し、前記第２野縁材に交差して支持され、互いに間隔を置いてかつ前記野縁受けの下側に配置された複数の第３野縁材と、方形状に形成されその四周を前記各天井支持縁に載置して、グリッド状に組合わされた前記各野縁材で区画された方形の開口に設けられた複数の天井板と、を具備したことを特徴としている。
【００１２】
この請求項１の発明では、母屋桁及び鉄骨からなる天井下地材に支持された第１〜第３の野縁材がクリッド状に組合わされていて、その方形の開口に天井板が落し込みによって取付けられているので、天井スラブがない建築物の組み天井として構成できる。そして、天井板は落し込みにより取付けられていて、下方から押上げて外すことが可能であるので、天井内に設備される機器の取付け、変更、移設に際しての取扱いが容易であり、これらの作業性を向上できる。しかも、前記グリッド状に組合わされた１〜第３の野縁材が、天井下地材に吊持された野縁受けを介して支持されているので、この天井裏の野縁受けとこれに交差して連結された第１野縁材とによって、前記グリッド状に組合わされた部分を補強し、天井構造の耐震性を向上できる。
【００１３】
請求項２の発明は、前記野縁受けがその少なくとも一部を前記第２野縁材の上方への投影領域に配置して設けられ、これら野縁受けと第２野縁材との間に前記天井板が通過できる間隙が設けられていることを特徴としている。
【００１４】
この請求項２の発明では、天井内に設備される機器の取付け、変更、移設に際して、天井板を、下方から押上げ天井裏の横方向にずらして、方形の開口から外す際に、天井板の前記横方向の移動が野縁受けによって不可能となることがない。
【００１５】
【発明の実施の形態】以下、図１〜図９を参照して本発明の一実施形態を説明する。
【００１６】
図１及び図５中符号１は、天井スラブがない鉄骨構造により構築された建築物、例えばコンビニエンスストアのような店舗の屋根下に設置された鉄骨、例えばＨ型鋼を示している。同様に、図１及び図６中符号２は、前記屋根下に設置された母屋桁を示している。これらは、建築物の棟及び軒と平行に設けられている部材であって、天井下地材としても用いられるものである。
【００１７】
これら複数の天井支持材１、２の下方に配設される組み天井として構成される天井構造３は、図２に示すように複数本の野縁受け４と、複数の支持手段５ａと、複数の支持手段５ｂと、複数本の第１野縁材であるメインバー６と、複数の連結手段７と、複数本の第２野縁材であるクロスバー８と、複数本の第３野縁材であるスモールバー９と、多数の天井板１０などを備えている。これらの天井構成材は、いずれも金属や石膏ボード等の不燃材料からなり、これにより天井構造３に不燃性を与えている。
【００１８】
各野縁受け４は例えばＣ型鋼等の鋼材から作られている。野縁受け４は、その長手方向中間部に継手を介して連結された中継部を有することなく、一体に連続し所定の長さを有している単一部品である。野縁受け４は、第１〜第３のバー６、８、９に比較して、板厚が厚く、かつ、その形状故に、第１〜第３のバー６、８、９よりも高い剛性を有している。
【００１９】
図１及び図２に示すように各野縁受け４は、支持手段５ａ又は５ｂを介してＨ型鋼１又は母屋桁２に支持されている。支持された各野縁受け４は、互いに所定間隔Ａを置いて互いに平行に、しかも、Ｈ型鋼１及び母屋桁２とは直交する方向に延びて配置されている。支持手段５ａ、５ｂは、後述するがいずれも複数の金属部品を剛体となるように組合わせて形成されている。各支持手段５ａはＨ型鋼１に対して野縁受け４を吊って支持し、各支持手段５ｂは母屋桁２に対して野縁受け４を吊って支持する。図５及び図６に示すように各支持手段５ａ、５ｂは、いずれも吊りボルト１１の上端部に上部ハンガー１２を螺合して取付けるとともに、吊りボルト１１の下端部に下部ハンガー１３をナット１４により固定して作られている。
【００２０】
各支持手段５ａの上部ハンガー１２は、Ｈ型鋼１の側縁部上面に接する挟持部１２ａと、Ｈ型鋼１の側縁部下面に対向するボルト受け部１２ｂとを有していて、ボルト受け部１２ｂに設けた図示しない螺孔に吊りボルト１１の上端部が螺合されている。このため、吊りボルト１１の上端部をボルト受け部１２ｂに対して上方に移動させることにより、この吊りボルト１１の上端と挟持部１２ａとでＨ型鋼１の側縁部を挟持して、Ｈ型鋼１と支持手段５ａとが連結されている。
【００２１】
同様に、各支持手段５ｂの上部ハンガー１２は、母屋桁２の下フランジの側縁形状に合わせて、この側縁に沿って上側から配置される挟持部１２ｃと、前記下フランジの側縁部下面に対向するボルト受け部１２ｄとを有していて、ボルト受け部１２ｄに設けた図示しない螺孔に吊りボルト１１の上端部が螺合されている。このため、吊りボルト１１の上端部をボルト受け部１２ｄに対して上方に移動させることにより、この吊りボルト１１の上端と挟持部１２ｃとで母屋桁２の下フランジ側縁部を挟持して、母屋桁２と支持手段５ｂとが連結されている。
【００２２】
各下部ハンガー１３は野縁受け４の中間部を収容する溝（図２参照）を有して形成されている。なお、図５及び図６中符号１４は、前記溝の上方に開放した部分を横切って取付けられたねじなどからなる止めピンであって、野縁受け４の上方への外れ止めをなしている。
【００２３】
この支持手段５ａ、５ｂの採用により、Ｈ型鋼１及び母屋桁２の夫々に所定数の支持手段５ａ、５ｂを連結した後に、各下部ハンガー１３の溝内に野縁受け４を落し込み、最後に止めピン１４を各下部ハンガー１３に夫々取付けることによって、各支持手段５ａ、５ｂを介してＨ型鋼１及び母屋桁２に各野縁受け４を吊持させることができる。
【００２４】
図３、図７、及び図８に示すように各メインバー６は、その下端部に幅方向両側方に向けて水平状に張り出す天井板支持縁６ａを有している。メインバー６は、金属製であって、例えば断面形状が略Ｔ字形状をなすＴバーを好適に使用できる。図示のＴバーは、亜鉛引き鋼板等のように表面に防錆層を有した第１金属板をその両側縁が互いに逆方向に向けて張り出すように略Ｔ字形状の断面形状をなして折り曲げるとともに、この第１金属板の下面に平らな第２金属板を重ねて、この第２金属板の両側縁を第１金属板の前記両側縁の先端を包むように折り曲げることによって、作られている。第１金属板が作るＴバーの上向き部の上端部は、このＴバーに強度を与えるために、中空部を内側に有する膨らみ部６ｂを形成して折り返されている。そして、膨らみ部６ｂの下部が次第に狭くなるようにこの膨らみ部６ｂの下部側面は、互いに逆テーパをなしている。第２金属板にはカラー鋼板が使用され、その白色等を呈する表面が前記Ｔバーの下面を作っている。この下面は屋内に露出する。
【００２５】
各メインバー６は、その長手方向中間部に継手を介して連結された中継部を有することなく、一体に連続し所定の長さを有している単一部品である。このバー６の前記上向き部の長手方向中間には、図７（Ａ）に代表して示され前記第１金属板の搬送などのために使用される２個一組の通孔１６が所定間隔ごとに設けられているとともに、各組みの通孔１６間に位置して連結孔１７が夫々開けられている。各連結孔１７はいずれも上下方向に延びる細長い孔で作られている。
【００２６】
図２に示すように各メインバー６は、連結手段７を介して各野縁受け４に支持されている。支持された各メインバー６は、野縁受け４の相互間隔と同じ所定間隔Ａを置いて互いに平行に、しかも、各野縁受け４とは直交する方向に延びて配置されている。連結手段７は、図７（Ａ）等に示すようにバー取付け金具７ａと、止め金具７ｂと、ねじ７ｃとで形成されている。
【００２７】
詳しくは、バー取付け金具７ａは、その上部に直角に折り曲げられて側面視コ字状をなす野縁受け接続部２１を有し、下部に溝部２２及びねじ孔２３を有し、かつ、中間部に係止孔２４を有している。野縁受け接続部２１の相対向する２片は折り曲げ可能であり、これらの折り曲げによって野縁受け４の長手方向中間を野縁受け接続部２１が抱持して、野縁受け４とバー取付け金具７ａとが連結されるようになっている。止め金具７ｂは、その上端部に係止凸部２５を有し、下部にねじ通孔２６を有し、中間部に溝部２７を有している。係止凸部２５は、係止孔２４の幅広孔部に挿入され、この幅広孔部の下側に連なった幅狭孔部に引っ掛かるようにＴ字形状をなしている。
【００２８】
この連結手段７の採用により、まず、図７（Ｂ）に示す状態にメインバー６上に連結手段７を取付けた後、図８に示す状態に連結手段７と野縁受け４とを接続することによって、この連結手段７を介して野縁受け４とメインバー６とを互いの交差部で連結できる。
【００２９】
メインバー６への連結手段７の取付けは、前記両通孔１６の内の一方の通孔１６を利用する。詳しくは、一方の通孔１６にバー取付け金具７ａのねじ孔２３と止め具７ｂのねじ通孔２６とが対向するように、メインバー６の上向き部に対してバー取付け金具７ａと止め具７ｂとを組合わせる。この場合、止め具７ｂはその係止凸部２５をバー取付け金具７ａの係止孔２４に挿入して実施する。次ぎに、ねじ７ｃをねじ通孔２６及び通孔１６に通すとともにねじ孔２３に挿入して締付ける。これによって、バー取付け金具７ａと止め具７ｂとの下部が、メインバー６の上向き部をその両側から挟んで、メインバー６に連結手段７が固定される。この場合、バー取付け金具７ａと止め具７ｂとの溝部２２、２７は、互いに合わさるように配置されてメインバー６の膨らみ部６ｂに嵌まるようにその外側から係合される。
【００３０】
この連結によれば、既述のように膨らみ部６ｂの下部がテーパ状であって、そこへの溝部２２、２７の引っ掛かりによる支持強度をさほど期待できないにも拘らず、連結されたメインバー６と連結手段７とが上下方向に外れることをねじ７ｃによって阻止できる。しかも、溝部２２、２７の少なくとも一方と膨らみ部６ｂとの引っ掛かりによって、ねじ７ｃへの荷重の集中を防止できるとともに、ねじ７ｃを支点として連結手段７が動揺することを防止できる。このため、強固に連結できる。なお、以上のようにメインバー６に固定された連結手段７は、連結孔１７及び他方の通孔１６からずれていて、これらを塞ぐことがない。
【００３１】
次ぎに、この連結手段７を既に設置されている野縁受け４に接続するには、図７（Ｂ）中矢印で示すようにメインバー６を移動させて、連結手段７の野縁受け接続部２１を野縁受け４に嵌合させる。この後、図７（Ｃ）に示すように野縁受け接続部２１の相対向する２辺を互いに近付くように折り曲げ、更に内側に折り込むことによって、図８に示すように野縁受け接続部２１でメインバー６を抱持すればよい。これにより、野縁受け４と連結手段７とが連結される。この場合、野縁受け接続部２１がバー取付け金具７ａの垂直な板面に対して直角に折れ曲がって設けられていることにより、野縁受け４に対して直交する方向にメインバー６を連結できる。
【００３２】
各クロスバー８は、その長手方向中間部に継手を介して連結された中継部を有することなく、一体に連続している単一部品である。各クロスバー８は前記所定間隔Ａに相当する所定の長さを有している。これら各バー８は、図３、図８、及び図９に示すように、下端部に幅方向両側方に向けて水平状に張り出す天井板支持縁８ａを有している。これらのクロスバー８は金属製であって、前記メインバー６と同じ構造のＴバーを好適に使用できる。図９に示すようにクロスバー８の長手方向中央部には、一対の前記通孔１６とこれらの間の連結孔１７と同じ構成の、一対の前記通孔１８とこれらの間の連結孔１９とが設けられている。
【００３３】
図２に示すように各クロスバー８は隣接するメインバー６にわたって支持されている。このメインバー６への接続のために、クロスバー８の長手方向両端には図８に示す差し込み部８ｂが一体に突設され、差し込み部８ｂにはその一側面から突出する係止突起８ｃが切り起こして設けられている。この差し込み部８ｂをメインバー６の連結孔１７に差込むことによって、クロスバー８が、その両端部を隣接するメインバー６の天井板支持縁６ａに載置した状態で、隣接するメインバー６に両端支持されている。クロスバー８の長手方向両端部は天井板支持縁６ａの厚みに相当する段差を有し、この段差によってメインバー６とクロスバー８の下面とを面一に連続させることができる。係止突起８ｃはメインバー６の連結孔１７の縁に引っ掛かって抜け止めをしている。なお、連結孔１７には、メインバー６の幅方向両側から長手方向に隣接するクロスバー８の差し込み部８ｂが差し込まれ、これらの差し込み部８ｂは背合わせ状態となる。
【００３４】
こうしてメインバー６に直結して支持された各クロスバー８は、図２に示すようにメインバー６と直交する方向に延びて設けられている。このため、クロスバー８は、互いに平行に、かつ、野縁受け４と平行な姿勢で、この野縁受け４の下側に配置されている。メインバー６に設けた連結孔１７の間隔にしたがって所定間隔ごとに配置された各クロスバー８は、野縁受け４の相互間隔Ａの１／２の間隔Ｂを置いて、しかも、野縁受け４の相互間隔Ａを丁度二分する位置に設けられている。
【００３５】
各スモールバー９は、その長手方向中間部に継手を介して連結された中継部を有することなく、一体に連続している単一部品である。各スモールバー９は前記所定間隔Ｂに相当する所定の長さを有している。これらスモールバー９は、図３及び図９等に示すように、下端部に幅方向両側方に向けて水平状に張り出す天井板支持縁９ａを有している。これらのスモールバー９は金属製であって、前記メインバー６と同じ構造のＴバーを好適に使用できる。
【００３６】
図２に示すように各スモールバー９は隣接するクロスバー８にわたって支持されている。クロスバー８への接続のために、スモールバー９の長手方向両端には図９に示す差し込み部９ｂが一体に突設され、差し込み部９ｂにはその一側面から突出する係止突起９ｃが切り起こして設けられている。この差し込み部９ｂをクロスバー８の連結孔１９に差込むことによって、スモールバー９が隣接するクロスバー８に両端支持されている。スモールバー９の両端部は、隣接するクロスバー８の天井板支持縁８ａに載置されている。スモールバー９の長手方向両端部は天井板支持縁６ａの厚みに相当する段差を有し、この段差によってクロスバー８とスモールバー９との下面を面一に連続させることができる。係止突起９ｃは連結孔１９の縁に引っ掛かって抜け止めをしている。なお、連結孔１７には、クロスバー８の幅方向両側から長手方向に隣接するスモールバー９の差し込み部９ｂが差し込まれ、これらの差し込み部９ｂは背合わせ状態となる。
【００３７】
こうしてクロスバー８に直結して支持された各スモールバー９は、図２に示すようにクロスバー８と直交する方向に延びて設けられている。このため、スモールバー９は、互いに平行に、かつ、野縁受け４と直交し、かつ、メインバー６と平行な姿勢で、野縁受け４の下側に配置されている。各クロスバー８に設けた連結孔１９の間隔にしたがって所定間隔ごとに配置された各スモールバー９は、野縁受け４の相互間隔と同じ所定間隔Ａを置いて、しかも、メインバー６の相互間隔Ａを１／２に分ける位置に設けられている。
【００３８】
既述のように野縁受け４に対して直交して連結された互いに平行な各メインバー６相互間に、クロスバー８を既述の差込による手順で接続して、これらクロスバー８をメインバー６と直交させて連結した後、互いに平行に設けられた各クロスバー８相互間に、スモールバー９を既述の差込による手順で接続して、これらスモールバー９をクロスバー８と直交させて連結することにより、各バー６、８、９が図２に示すようにグリッド状に組立てられる。この組立て状態において、方形例えば正四角形の開口２０が多数形成される。各開口２０は、メインバー６の一部と、隣接する２本のクロスバー８の一部と、１本のスモールバー９とで区画されている。
【００３９】
各開口２０の夫々には、これらの開口２０の大きさに見合った大きさの方形例えば正四角形をなす天井板１０が個別に設けられている。これらの天井板１０は、石膏ボード等からなり、その四周を開口２０の内方に向けて張り出している天井板支持縁６ａ、８ａ、９ａに着脱可能に載置することによって、開口２０を塞いでいる。この天井板１０は、図３に示すように天井板１０を立てて開口２０の対角線（２点鎖線参照）に沿わせた姿勢として、開口２０の上方に通過させ、更に、開口２０の上方位置で水平にした後、開口２０に落とし込むことによって、固定されることなく取付けられている。したがって、この逆の手順を踏むことによって、天井板１０を開口２０から取外すことができる。
【００４０】
更に、図４に示すように前記天井構造３では、野縁受け４はその少なくとも一部がクロスバー８の上方への投影領域に配置されているとともに、これら野縁受け４とクロスバー８とは、これらの間を天井板１０が略水平となる姿勢で通過できるように離されている。そのための間隙Ｄは、天井板１０の厚みより大きく、かつ、前記厚みに５０ｍｍを加えた寸法を上限とすることが好ましい。これは、建築物の床面から天井下地材１、２までの垂直距離ａが３０７０ｍｍ、床面から天井構造３の下面までの垂直距離ｂが２７００ｍｍであり、これらの差３７０ｍｍであるという条件と、床面から野縁受け４の上面までの垂直距離ｃが２８２０ｍｍであり、これと前記垂直距離ａとの差が２５０ｍｍであるという条件と、天井下地材１、２と野縁受け４との間に配管される例えば可撓性を有した空調ダクトの直径が２００ｍｍ〜３００ｍｍであるという条件を考慮したものである。この設定では、以上の諸条件において、野縁受け４が空調ダクトの配管上問題となることがない高さ位置であって、しかも、天井板１０の横移動を阻止することなく可能な限り野縁受け４がグリッド部に近付けられた配置とできる。これにより、天井構造３の剛性をより高めることが可能である。
【００４１】
更に、より好ましい例として、一部のクロスバー８に対して少なくと一部が対向関係にある野縁受け４は、図４に示すように開口２０を区画している各バー６、８、９の内の一方のクロスバー８を支点として天井板１０を押上げた際に、前記一方のクロスバー８と平行な他のクロスバー８に載置される天井板１０周部の移動軌跡Ｇから外れた位置に配置されている。この構成の採用により、開口２０から天井板１０をどかす際に、野縁受け４に天井板１０が当たって邪魔にならないので、作業性に優れるものである。
【００４２】
前記構成の天井構造３は、第１〜第３のバー６、８、９がクリッド状に組合わされていて、その方形の開口２０に天井板１０が落し込みによって取付けられたグリッド天井部が、鉄骨であるＨ型鋼１及び母屋桁２を天井下地材として利用して、これらに支持された構成であるから、天井スラブがない建築物の組み天井として構成することが可能である。
【００４３】
この天井構造３では、前記グリッド状に組合わされた１〜第３のバー６、８、９及び天井板１０を有したグリッド天井部が、天井下地材に直接支持されるのではなく、天井下地材と直交して設けた野縁受け４を備えており、この野縁受け４にグリッド天井部が支持されている。このため、互いに直交して連結された野縁受け４とメインバー６とによって、グリッド天井部を補強できる。したがって、天井構造３の耐震性を向上できる。
【００４４】
更に、天井構造３の天井板１０は既述のように落し込みにより取付けられていて、固定されていないから、クリッド天井部の下方から押上げて開口２０からどかすことが可能である。この場合、天井板１０を開口２０に通して下方へ一時的に取り出すことも、又、天井板１０をクリッド天井部の裏側で横方向にずらして一時的に仮置きして方形の開口２０を開放することも可能である。しかも、天井板１０を押上げる際に、野縁受け４に天井板１０が当たることもない。後者の場合には、天井板１０を押上げて略水平姿勢のまま横方向にずらすが、そのずらし方向に野縁受け４がある場合であっても、前記間隙Ｄを通して横方向にずらすことが可能であるから、天井板１０の前記横方向の移動を野縁受け４が不可能にすることがない。
【００４５】
これにより、天井の組立て後において、所望とする開口２０に照明器具などの天井内に設備される機器を、取付けたり、天井構造３に既設の機器を変更したり、他の開口に移設したりするに際して、グリッド天井部の下方から対象位置の天井板１０を容易に着脱できる。したがって、機器の変更・移設等、及びそれに伴う電気配線工事が必要である場合、この天井構造３の取扱いが容易であり、天井裏に作業者が入り込んで作業を余儀なくされることもなく、又、大幅な改修を伴うこともないので、機器の変更・移設等の作業性を向上できる。
【００４６】
なお、本発明は前記一実施形態には制約されない。例えば、開口２０の大きさは任意に設定できるとともに、正四角形に限らず長方形であってもよい。又、野縁受け４は天井板１０を押上げた際に、この天井板１０が前記間隙Ｄより上方に至った後に当たる位置に設けてもよい。野縁受け４はＣ型鋼以外の型鋼であっても使用可能であり、同様に、各野縁受け６、８、９は、天井板支持縁を有するバー材であればＴバー以外のものであってもよい。更に、前記一実施形態において連結手段７の野縁受け接続部２１は野縁受け４に補助的にねじ止めしてもよい。
【００４７】
【発明の効果】請求項１の本発明によれば、母屋桁及び鉄骨からなる天井下地材を利用して構成されるので、天井スラブがない建築物の組み天井として構成でき、しかも、クリッド状に組合わされた第１〜第３の野縁材が作る方形の開口に落し込みによって取付けられた天井板を、下方から押上げて外すことが可能で、取扱いが容易であるので、天井内に設備される機器の取付け、変更、移設がし易く、更に、天井下地材に吊持された野縁受けとこれに交差しかつ連結した第１野縁材とによって前記グリッド構造を補強しているので、耐震性能が優れた天井構造を提供できる。
【００４８】
請求項２の発明によれば、天井板を、下方から押上げ天井裏の横方向にずらして方形の開口から外す際に、野縁受けが前記横方向の移動を不可能とすることがない天井構造を提供できる。
【図面の簡単な説明】
【図１】本発明の一実施形態に係る天井構造の野縁受けと天井下地材との関係を示す斜視図。
【図２】一実施形態の天井構造を天井裏側から見て示した斜視図。
【図３】一実施形態の天井構造で天井板を取付ける手順を示す斜視図。
【図４】一実施形態の天井構造の野縁受けと野縁と天井板との関係を示す断面図。
【図５】一実施形態の天井構造の鉄骨とこれに支持される天井との関係を示す断面図。
【図６】一実施形態の天井構造の母屋桁とこれに支持される天井との関係を示す断面図。
【図７】（Ａ）から（Ｃ）は一実施形態の天井構造の野縁受けに第１野縁材（メインバー）を支持する手順を順に追って示す斜視図。
【図８】一実施形態の天井構造の第１野縁材に第２野縁材（クロスバー）を支持する手順を説明するための斜視図。
【図９】一実施形態の天井構造の第２野縁材に第３野縁材（スモールバー）を支持する手順を説明するための斜視図。
【符号の説明】
１…Ｈ型鋼（天井下地材）、  ２…母屋桁（天井下地材）、３…天井構造、４…野縁受け、５ａ、５ｂ…支持手段、６…メインバー（第１野縁部材）、７…連結手段、８…クロスバー（第２野縁部材）、９…スモールバー（第３野縁部材）、６ａ、８ａ、９ａ…天井板支持縁、１０…天井板、２０…開口、Ｄ…間隙
【図１】
2004332326.tif 000003
【図２】
2004332326.tif 000004
【図３】
2004332326.tif 000005
【図４】
2004332326.tif 000006
【図５】
2004332326.tif 000007
【図６】
2004332326.tif 000008
【図７】
2004332326.tif 000009
【図８】
2004332326.tif 000010
【図９】
2004332326.tif 000011